(57)【要約】【課題】バンクシフト後に行われる常時の系統への復旧時において、停電側変圧器のタップ値をシフト側変圧器のタップ値に合わせる操作を正確に行うことが可能な配電用変圧器の制御方法とそれに用いる配電用変圧器制御システムを提供する。【解決手段】配電用変圧器制御システム１は、通信部１ａと、逆潮流発生監視部１ｂと、配電用変圧器のタップの上げ下げの回数の演算を行う演算部１ｃと、それらのタップの上げ動作又は下げ動作を行う処理部１ｄと、記憶部１ｅと、配電用変圧器の１次側遮断器と２次側遮断器と母線連絡用遮断器について、その接続状態と遮断状態を切り換える制御部１ｇと、入力部１ｆと、表示部１ｈを備えており、通信装置２とともに電力会社の制御所４に設置されている。配電用変電所５には、１号バンク変圧器５１ａと２号バンク変圧器５１ｂの他に、通信網ＮＷを介して通信装置２に相互接続される遠方監視制御装置３が設置されている。【選択図】図１
2018207562.tif 000002
【特許請求の範囲】
【請求項１】
配電用変電所に設置された配電用変圧器に対し、その１次側と２次側に設けられている１次側遮断器及び２次側遮断器と母線に設けられている遮断器の動作を制御するとともに、１次側に設けられたタップを遠隔操作によって切り換えるように構成された配電用変圧器制御システムであって、
前記配電用変電所との間で各種のデータや信号の送受信を行うための通信部と、
この通信部を介して前記配電用変電所から受信した前記母線の電圧値及び無効電力値に基づいて前記配電用変圧器の前記タップの上げ動作又は下げ動作の回数を演算する演算部と、
この演算部による演算結果が格納される記憶部と、
前記通信部を介して前記１次側遮断器と前記２次側遮断器と前記母線に設けられた遮断器に接続信号又は遮断信号を送って、その接続状態と遮断状態を切り換える制御部と、
この制御部及び前記演算部に対する指示や前記配電用変圧器の前記タップの前記上げ動作又は前記下げ動作の前記回数の入力に用いられる入力部と、
この入力部から入力され、又は前記演算部の演算によって求められた前記タップの前記上げ動作又は前記下げ動作の前記回数に従って前記配電用変圧器に対し、前記タップの切り換えを行う処理部と、
前記記憶部に格納されたデータを表示する表示部と、を備えていることを特徴とする配電用変圧器制御システム。
【請求項２】
第１の配電用変圧器と第１の送電線の間に１次側遮断器が設置され、
第１の母線と前記第１の配電用変圧器の間に２次側遮断器が設置され、
第２の送電線と第２の母線の間に第２の配電用変圧器が設置されるとともに、
前記第１の母線と前記第２の母線の間に母線連絡用遮断器が介設された電力系統に対し、
前記１次側遮断器及び前記２次側遮断器と前記母線連絡用遮断器の動作を制御するとともに、
１次側に設けられたタップを遠隔操作によって切り換えることにより、
前記第１の配電用変圧器又は前記第２の配電用変圧器の２次側に逆潮流が発生した場合にバンクシフトを行うための配電用変圧器の制御方法であって、
前記第１の母線と前記第２の母線の電圧値が一致するように、前記第１の配電用変圧器と前記第２の配電用変圧器の前記タップを切り換える工程と、
前記母線連絡用遮断器を『入』の状態にして前記第１の母線と前記第２の母線を接続する工程と、
バンクシフト後の前記第１の母線及び前記第２の母線の前記電圧値が予め設定された許容範囲内に収まるように前記第１の母線及び前記第２の母線の前記電圧値と無効電力値に基づいて前記第２の配電用変圧器の前記タップを切り換える工程と、
前記２次側遮断器を『切』の状態にして前記第１の配電用変圧器と前記第２の配電用変圧器の併用状態を解消する工程と、
前記１次側遮断器を『切』の状態にして前記第１の配電用変圧器への前記第１の送電線からの電力の供給を停止する工程と、
前記第２の母線の前記電圧値と前記無効電力値に基づいて前記第２の配電用変圧器の前記タップの上げ動作又は下げ動作の回数を算出して記憶する工程と、
この算出された前記上げ動作又は前記下げ動作の前記回数に従って前記第２の配電用変圧器の前記タップを切り換える工程と、を備えていることを特徴とする配電用変圧器の制御方法。
【発明の詳細な説明】
【技術分野】
【０００１】
本発明は、自家用発電設備が連系された電力系統に逆潮流が発生してバンクシフトを行う場合に用いられる配電用変圧器の制御方法に係り、特に、バンクシフト後の常時系統への復旧作業において２台の変圧器のタップ値を合わせる操作を短時間で正確に行うことができる配電用変圧器の制御方法とそれに用いる配電用変圧器制御システムに関する。
【背景技術】
【０００２】
電力会社の系統（配電網）に自家用発電設備が接続されている状態（系統連系）で、自家用発電設備によって発電された電力が需要家によって消費される電力を上回ると、その余剰電力は自家用発電設備の側から電力会社の系統に供給される。
この現象は逆潮流と呼ばれるが、配電用変圧器の２次側にバッテリが設置されているなどの逆潮流の対策がなされていない配電用変電所では、逆潮流が発生した場合、バンクシフトという操作が行われる。
【０００３】
バンクとは、一般に複数個の同様の装置が組み合わされて、１つの装置として使用されているものを指すが、本明細書では、特に、１台以上の変圧器のまとまりを「バンク」と表現している。すなわち、単相変圧器の場合には、２台若しくは３台を組み合わせた状態が１バンクとなり、３相変圧器の場合には、１台で１バンクとなる。
また、バンクシフトとは、逆潮流が発生した場合に、運転中の複数バンクの変圧器の一部を停止し、この停止した変圧器（以下、停電側変圧器という。）に接続されていた負荷に対して、もう一方の変圧器（以下、シフト側変圧器という。）の側から、逆潮流の元となった余剰の電力を供給するものである。
【０００４】
ここで、バンクシフト時と常時系統への復旧時の手順について図４乃至図７を用いて説明する。
図４（ａ）及び図４（ｂ）と図５（ａ）及び図５（ｂ）は、２台の配電用変圧器（以下、１号バンク変圧器及び２号バンク変圧器という。）を有する電力系統の一例を示す図である。また、図６及び図７は、それぞれバンクシフト時の手順と常時系統への復旧時の手順を示したフローチャートである。
【０００５】
図４及び図５に示すように、１号バンク変圧器５１ａと２号バンク変圧器５１ｂは、１次側遮断器（１次側ＣＢ）５２ａ，５２ｂを介してそれぞれ送電線５５ａ，５５ｂに接続されるとともに、２次側遮断器（２次側ＣＢ）５３ａ，５３ｂを介してそれぞれ母線５６ａ，５６ｂにそれぞれ接続されている。そして、母線５６ａ，５６ｂは母線連絡用遮断器（母連ＣＢ）５７を介して互いに接続されており、母線５６ａ，５６ｂには複数の負荷５４ａ，５４ｂがそれぞれ接続されている。
【０００６】
１号バンク変圧器５１ａと２号バンク変圧器５１ｂには、それぞれ負荷時タップ切換装置（Ｌｏａｄ  Ｒｅｇｕｌａｔｉｏｎ：以下、ＬＲという。）が設置されている。ＬＲには、『自動』及び『手動』という２種類の動作モードがあり、動作モードが『自動』に設定されている場合には、母線の電圧値と無効電力値に基づいて変圧器の１次側の巻線に設けられているタップを切り換えるという機能を有している。ただし、ＬＲの動作モードが『手動』に設定されている場合には、１号バンク変圧器５１ａと２号バンク変圧器５１ｂは、後述するように制御所から送られるタップ切換信号に従って、タップが切り換えられる構造となっている。
また、後述するように、ＬＲの動作モードの設定と、１次側遮断器５２ａ，５２ｂ及び２次側遮断器５３ａ，５３ｂと母線連絡用遮断器５７の接続状態の切り換えは、制御所からの遠隔操作が可能となっており、母線５６ａ，５６ｂの電圧値と無効電力値も制御所において確認できるようになっている。
【０００７】
図４（ａ）に示すように、常時の系統では、１次側遮断器５２ａ，５２ｂと２次側遮断器５３ａ，５３ｂがいずれも『入』の状態になっており、母線連絡用遮断器５７が『切』の状態になっているため、送電線５５ａ，５５ｂから１号バンク変圧器５１ａと２号バンク変圧器５１ｂにそれぞれ供給された電力は、母線５６ａ，５６ｂを介して負荷５４ａ，５４ｂにそれぞれ供給される（矢印Ｘ１参照）。
【０００８】
このような構成の系統において、例えば、図４（ｂ）に矢印Ｘ２で示すように２号バンク変圧器５１ｂの２次側に逆潮流が発生した場合、図６に示す手順に従って、以下のようにバンクシフト操作を行う。
まず、図６のステップＳ１に示すように、ＬＲの動作モードを『手動』に設定した後、母線５６ａ，５６ｂの電圧値と無効電力値を確認する。
【０００９】
ステップＳ２では、母線５６ａ，５６ｂの電圧値が一致するように１号バンク変圧器５１ａと２号バンク変圧器５１ｂのタップを制御所からの遠隔操作によって手動で切り換える。
ステップＳ３では、制御所からの遠隔操作によって母線連絡用遮断器５７を『入』の状態にする。これにより、母線５６ａ，５６ｂが接続されるため、１号バンク変圧器５１ａと２号バンク変圧器５１ｂは併用状態となる（図５（ａ）参照）。
【００１０】
ステップＳ４では、母線５６ａ，５６ｂの電圧値と無効電力値を確認した後、制御所からの遠隔操作によって、バンクシフト後の母線５６ａ，５６ｂの電圧値が許容範囲に収まるように２号バンク変圧器５１ｂのタップを手動で切り換える。
ステップＳ５では、制御所からの遠隔操作によって２次側遮断器５３ａを『切』の状態にして１号バンク変圧器５１ａと２号バンク変圧器５１ｂの併用状態を解消し、さらに、ステップＳ６において、制御所からの遠隔操作によって１次側遮断器５２ａを『切』の状態にして１号バンク変圧器５１ａへの送電線５５ａからの電力の供給を停止する（図５（ｂ）参照）。
【００１１】
そして、母線５６ａ，５６ｂの電圧値と無効電力値を確認した後、ステップＳ７において、ＬＲの動作モードを『自動』に設定する。これにより、バンクシフトが完了し、図５（ｂ）に矢印Ｘ３で示すように、逆潮流の元となった余剰の電力が母線５６ｂから母線５６ａを経て負荷５４ａに供給される。
【００１２】
次に、バンクシフト後に常時の系統に復旧する手順について図７を用いて説明する。
まず、図７のステップＳ８に示すように、ＬＲの動作モードを『手動』に設定した後、母線５６ａ，５６ｂの電圧値と無効電力値を確認する。次に、ステップＳ９において、制御所からの遠隔操作によって１次側遮断器５２ａを『入』の状態にして１号バンク変圧器５１ａへ送電線５５ａから電力を供給する。
ステップＳ１０では、２号バンク変圧器５１ｂの現在のタップ値に１号バンク変圧器５１ａのタップ値が一致するように１号バンク変圧器５１ａのタップを制御所からの遠隔操作によって手動で切り換える。
【００１３】
ステップＳ１１では、制御所からの遠隔操作によって２次側遮断器５３ａを『入』の状態にして１号バンク変圧器５１ａと２号バンク変圧器５１ｂを併用状態にした後、母線５６ａ，５６ｂの電圧値と無効電力値を確認し、必要に応じて、１号バンク変圧器５１ａと２号バンク変圧器５１ｂのタップを制御所からの遠隔操作によって手動で切り換える。
ステップＳ１２では、制御所からの遠隔操作によって母線連絡用遮断器５７を『切』の状態にする。これにより、母線５６ａ，５６ｂの接続が遮断されるため、１号バンク変圧器５１ａと２号バンク変圧器５１ｂの併用状態が解消される（図４（ａ）参照）。
【００１４】
１号バンク変圧器５１ａや２号バンク変圧器５１ｂなどの配電用変圧器の２次側にバッテリが設置されていない変電所において、逆潮流対策として、上述のバンクシフトを実施することについては既に公知であり、それに関して、これまでにもいろいろな発明や考案が開示されている。
例えば、特許文献１には、「変圧器逆潮流制御システム」という名称で、配電用変圧器の２次側に逆潮流が発生した場合にバンクシフトを実施するシステムに関する発明が開示されている。
【００１５】
特許文献１に開示された発明は、高圧配電系統における逆潮流対策を行うための変圧器逆潮流制御システムであり、監視制御システム及び配電自動化システムとの間で各種のデータや信号の送受信を行うための送受信部と、逆潮流発生監視部と、バンクシフト制御手段と、を備えている。
さらに、逆潮流発生監視部から第２の配電用変圧器の２次側に逆潮流が発生した旨を示す逆潮流発生検出信号が入力されると、バンクシフト制御手段が第２の配電用変圧器よりも定格容量の大きい第１の配電用変圧器をシフト側変圧器とするとともに第２の配電用変圧器を停電側変圧器として、停電側変圧器の１次側および２次側に設置された１次側遮断器と２次側遮断器を遮断し、さらに、シフト側変圧器に接続された第１の母線と停電側変圧器に接続された第２の母線との間に設けられた母線連絡遮断器を投入してバンクシフト操作を実施するように構成されている。
そして、シフト側変圧器に過負荷が生じないか、算出した電圧変化量が許容範囲内であるか、第１および第２の母線電圧値の電圧差の絶対値が所定の電圧値以下となるか等の判定をした上で前述のバンクシフト操作を実施することを特徴としている。
このような構成の「変圧器逆潮流制御システム」によれば、バッテリを使用することなく、逆潮流の対策を行うことができる。
【先行技術文献】
【特許文献】
【００１６】
【特許文献１】特開２０１６−２０８７７４号公報
【発明の概要】
【発明が解決しようとする課題】
【００１７】
バンクシフト後に行われる常時の系統への復旧作業では、図７を用いてステップＳ１０として既に説明したように、停電側の１号バンク変圧器５１ａを母線５６ａに接続する前に、１号バンク変圧器５１ａのタップ値が２号バンク変圧器５１ｂの現在のタップ値と一致するように、１号バンク変圧器５１ａのタップを手動で切り換える必要がある。ただし、２号バンク変圧器５１ｂのタップ値は後述の遠方監視制御装置に送信されていないため、このとき制御所では、そのタップ値を確認することができない。
しかし、制御所の運転員が自身の経験等に基づいて１号バンク変圧器５１ａのタップ値を予測して、その切換操作を行うと、常時の系統に戻した際に各バンクの送り出し電圧が基準値を大きく逸脱してしまうおそれがある。
【００１８】
特許文献１には、バンクシフト後に行われる常時の系統への復旧作業に関し、何ら記載がないことから、特許文献１に開示された発明では、常時の系統への復旧作業における上述の課題を解決することはできない。
【００１９】
本発明はかかる従来の事情に対処してなされたものであって、バンクシフト後に行われる常時の系統への復旧時において、停電側変圧器（１号バンク変圧器５１ａ）のタップ値をシフト側変圧器（２号バンク変圧器５１ｂ）のタップ値に合わせる作業を正確に行うことが可能な配電用変圧器の制御方法とそれに用いる配電用変圧器制御システムを提供することを目的とする。
【課題を解決するための手段】
【００２０】
上記目的を達成するため、第１の発明に係る配電用変圧器制御システムは、配電用変電所に設置された配電用変圧器に対し、その１次側と２次側に設けられている１次側遮断器及び２次側遮断器と母線に設けられている遮断器の動作を制御するとともに、１次側に設けられたタップを遠隔操作によって切り換えるように構成された配電用変圧器制御システムであって、配電用変電所との間で各種のデータや信号の送受信を行うための通信部と、この通信部を介して配電用変電所から受信した母線の電圧値及び無効電力値に基づいて配電用変圧器のタップの上げ動作又は下げ動作の回数を演算する演算部と、この演算部による演算結果が格納される記憶部と、通信部を介して１次側遮断器と２次側遮断器と母線に設けられた遮断器に接続信号又は遮断信号を送って、その接続状態と遮断状態を切り換える制御部と、この制御部及び演算部に対する指示や配電用変圧器のタップの上げ動作又は下げ動作の回数の入力に用いられる入力部と、この入力部から入力され、又は演算部の演算によって求められたタップの上げ動作又は下げ動作の回数に従って配電用変圧器に対し、タップの切り換えを行う処理部と、記憶部に格納されたデータを表示する表示部と、を備えていることを特徴とするものである。
【００２１】
このような構造の配電用変圧器制御システムにおいては、処理部が演算部の演算結果に従って配電用変圧器のタップの切り換えを行った場合、タップの上げ動作又は下げ動作の回数が演算部の演算結果として記憶部に格納されるという作用を有する。
【００２２】
また、第２の発明は、第１の配電用変圧器と第１の送電線の間に１次側遮断器が設置され、第１の母線と第１の配電用変圧器の間に２次側遮断器が設置され、第２の送電線と第２の母線の間に第２の配電用変圧器が設置されるとともに、第１の母線と第２の母線の間に母線連絡用遮断器が介設された電力系統に対し、１次側遮断器及び２次側遮断器と母線連絡用遮断器の動作を制御するとともに、１次側に設けられたタップを遠隔操作によって切り換えることにより、第１の配電用変圧器又は第２の配電用変圧器の２次側に逆潮流が発生した場合にバンクシフトを行うための配電用変圧器の制御方法であって、第１の母線と第２の母線の電圧値が一致するように、第１の配電用変圧器と第２の配電用変圧器のタップを切り換える工程と、母線連絡用遮断器を『入』の状態にして第１の母線と第２の母線を接続する工程と、バンクシフト後の第１の母線及び第２の母線の電圧値が予め設定された許容範囲内に収まるように第１の母線及び第２の母線の電圧値と無効電力値に基づいて第２の配電用変圧器のタップを切り換える工程と、２次側遮断器を『切』の状態にして第１の配電用変圧器と第２の配電用変圧器の併用状態を解消する工程と、１次側遮断器を『切』の状態にして第１の配電用変圧器への第１の送電線からの電力の供給を停止する工程と、第２の母線の電圧値と無効電力値に基づいて第２の配電用変圧器のタップの上げ動作又は下げ動作の回数を算出して記憶する工程と、この算出された上げ動作又は下げ動作の回数に従って第２の配電用変圧器のタップを切り換える工程と、を備えていることを特徴とする。
【００２３】
このような配電用変圧器の制御方法においては、バンクシフト後に第２の母線の電圧値と無効電力値に基づいて第２の配電用変圧器のタップの上げ動作又は下げ動作の回数を算出して記憶する工程と、この算出された上げ動作又は下げ動作の回数に従って第２の配電用変圧器のタップを切り換える工程と、を備えていることから、バンクシフト後から常時の系統に復旧するまでの間に第２の配電用変圧器のタップが切り換えられた履歴の把握が容易であるという作用を有する。
【発明の効果】
【００２４】
自家用発電設備が連系された電力系統に逆潮流が発生してバンクシフトを行った場合、シフト側変圧器はＬＲによってタップが切り換えられて、バンクシフト直後の状態からタップ値が変化しているため、常時の系統に復旧させる際には、停電側変圧器のタップ値をシフト側変圧器のタップ値に合わせる必要がある。前述したように、配電用変圧器のタップ値に関する情報は遠方監視制御装置に送信されていないことが多く、制御所の運転員が自身の経験に基づいて、停電側変圧器のタップ値を予測して、その切換操作を行った場合には、常時の系統に戻した際に各バンクの送り出し電圧が基準値を大きく逸脱してしまうおそれがあった。
【００２５】
これに対し、バンクシフト後にＬＲの代わりに第１の発明を用いた場合、処理部にシフト側変圧器のタップの切り換えを行わせると、タップの上げ動作又は下げ動作の回数が演算部の演算結果として記憶部に格納されることになる。
すなわち、第１の発明によれば、上述のタップの上げ動作又は下げ動作の回数を記憶部から読み出して表示部に表示させることで容易に確認できるため、バンクシフト後に行われる常時の系統への復旧作業において、停電側変圧器のタップ値を正確にシフト側変圧器のタップ値に合わせることが可能である。
【００２６】
第２の発明によれば、バンクシフト後から常時の系統に復旧するまでの間に第２の配電用変圧器のタップが切り換えられた履歴の把握が容易であることから、バンクシフト後に行われる常時の系統への復旧作業において、停電側変圧器（第１の配電用変圧器）のタップ値を正確にシフト側変圧器（第２の配電用変圧器）のタップ値に合わせることが可能である。
【図面の簡単な説明】
【００２７】
【図１】（ａ）及び（ｂ）はそれぞれ本発明の実施の形態に係る配電用変圧器制御システムの設置場所とその構成を示したブロック図である。
【図２】本実施の形態に係る配電用変圧器制御システムを用いてバンクシフトを行う際の手順を示したフローチャートである。
【図３】本実施の形態に係る配電用変圧器制御システムを用いてバンクシフトを行った後に常時の系統への復旧作業を行う際の手順を示したフローチャートである。
【図４】（ａ）及び（ｂ）は２台の配電用変圧器を有する電力系統の一例を示す図である。
【図５】（ａ）及び（ｂ）は２台の配電用変圧器を有する電力系統の一例を示す図である。
【図６】バンクシフト時の手順を示したフローチャートである。
【図７】常時系統への復旧時の手順を示したフローチャートである。
【発明を実施するための形態】
【００２８】
本発明の配電用変圧器の制御方法とそれに用いる配電用変圧器制御システムについて図１乃至図５を用いて説明する。なお、以下の説明では、図４及び図５を用いて既に説明した１号バンク変圧器５１ａと２号バンク変圧器５１ｂをそれぞれ停電側変圧器及びシフト側変圧器としている。また、図４及び図５に示した構成要素については、同一の符号を付して、その説明を省略する。
【実施例】
【００２９】
図１（ａ）及び図１（ｂ）はそれぞれ配電用変圧器制御システムの設置場所とその構成の一例を示したブロック図である。また、図２及び図３は、その配電用変圧器制御システムを用いてバンクシフトを行う際の手順とバンクシフト後の常時の系統への復旧作業を行う際の手順をそれぞれ示したフローチャートである。
【００３０】
図１（ａ）に示すように、配電用変圧器制御システム１は、通信装置２とともに電力会社の制御所４に設置されており、１号バンク変圧器５１ａと２号バンク変圧器５１ｂが設置された配電用変電所５には、遠方監視制御装置３が設置されている。そして、通信装置２と遠方監視制御装置３は、通信網ＮＷを介して相互接続されている。
【００３１】
図１（ｂ）に示すように、配電用変圧器制御システム１は、配電用変電所５との間で各種のデータや信号の送受信を行うために通信装置２に接続されている通信部１ａと、この通信部１ａを介して配電用変電所５から受信した潮流方向データに基づいて１号バンク変圧器５１ａや２号バンク変圧器５１ｂの２次側に逆潮流が発生したか否かを監視し、逆潮流が発生したと判断した場合には制御部１ｇに逆潮流発生信号を送信する逆潮流発生監視部１ｂと、母線５６ａ，５６ｂの電圧値及び無効電力値に基づいて１号バンク変圧器５１ａや２号バンク変圧器５１ｂのタップの上げ下げの回数の演算を行う演算部１ｃと、通信部１ａと通信装置２を介して１号バンク変圧器５１ａと２号バンク変圧器５１ｂにタップ切換信号を送り、そのタップの上げ動作又は下げ動作を所定の回数行う処理部１ｄを備えている。
【００３２】
さらに、配電用変圧器制御システム１は、演算部１ｃによる演算結果が格納される記憶部１ｅと、通信部１ａを介して１次側遮断器５２ａ，５２ｂと２次側遮断器５３ａ，５３ｂと母線連絡用遮断器５７に接続信号又は遮断信号を送って、その接続状態と遮断状態を切り換える前述の制御部１ｇと、キーボードやマウス等からなり、この制御部１ｇ及び演算部１ｃに対する指示や１号バンク変圧器５１ａ及び２号バンク変圧器５１ｂのタップの上げ下げの回数の入力に用いられる入力部１ｆと、通信部１ａを介して配電用変電所５から受信した母線５６ａ，５６ｂの電圧値及び無効電力値などのデータや記憶部１ｅに格納されたデータを表示する表示部１ｈを備えている。
【００３３】
そして、入力部１ｆに演算部１ｃに対して動作モードを設定する指示が入力されると、演算部１ｃは、その指示に従って、動作モードが『使用』又は『不使用』のいずれかに設定される。なお、演算部１ｃの動作モードが『使用』に設定されている場合、処理部１ｄは、上記タップの上げ下げの回数として演算部１ｃの演算によって求められた値を用い、演算部１ｃの動作モードが『不使用』に設定されている場合には入力部１ｆから入力された値を用いるように構成されている。
【００３４】
また、制御部１ｇは逆潮流発生信号を受信した場合又は入力部１ｆから所定の指示が入力された場合に、１号バンク変圧器５１ａと２号バンク変圧器５１ｂのＬＲに動作切換信号を送る構造となっており、ＬＲはこの動作信号によって、動作モードが『自動』又は『手動』のいずれかに設定される構造となっている。
すなわち、１号バンク変圧器５１ａと２号バンク変圧器５１ｂのタップは、ＬＲの動作モードが『自動』に設定されている場合にはＬＲによって切り換えられ、ＬＲの動作モードが『手動』に設定されている場合には配電用変圧器制御システム１の処理部１ｄによって切り換えられる。
なお、逆潮流が発生する前の常時の系統においては、ＬＲの動作モードは『自動』に設定されており、配電用変圧器制御システム１の演算部１ｃの動作モードは『使用』に設定されている。
【００３５】
配電用変電所５には１号バンク変圧器５１ａと２号バンク変圧器５１ｂの１次側の電流値と２次側の電流値を検出して、１号バンク変圧器５１ａと２号バンク変圧器５１ｂの２次側の潮流方向を判定し、その結果を潮流方向データとして遠方監視制御装置３に送信する潮流方向判定装置（図示せず）が設置されている。
【００３６】
次に、図２及び図３を参照しながら、配電用変圧器制御システム１ａを用いてバンクシフトを行う際の手順について説明する。
図２に示すように、まず、ステップＳ１において、遠方監視制御装置３から通信装置２を介して通信部１ａが受信した潮流方向データＤ１に基づいて、逆潮流発生監視部１ｂが２号バンク変圧器５１ｂの２次側に逆潮流が発生したと判断すると、逆潮流発生信号を制御部１ｇに送信する。その結果、制御部１ｇは通信部１ａと通信装置２を介して１号バンク変圧器５１ａと２号バンク変圧器５１ｂのＬＲに動作切換信号Ｃ１を送って、ＬＲの動作モードを『手動』に設定する。
【００３７】
ステップＳ２ａでは、入力部１ｆから演算部１ｃに対する指示を入力して、その動作モードを『不使用』に設定する。
ステップＳ２ｂでは、母線５６ａ，５６ｂの電圧値と無効電力値を表示部１ｈによって確認した後、母線５６ａ，５６ｂの電圧値を一致させるために必要な１号バンク変圧器５１ａと２号バンク変圧器５１ｂのタップの上げ下げの回数を計算し、それを入力部１ｆから入力する。処理部１ｄは、入力部１ｆから入力されたタップの上げ下げの回数に従って、通信部１ａと通信装置２を介して１号バンク変圧器５１ａと２号バンク変圧器５１ｂにタップ切換信号Ｃ２を送り、それらのタップの上げ下げを所定の回数だけ行う。
【００３８】
ステップＳ３では、入力部１ｆから制御部１ｇに母線連絡用遮断器５７を操作させるための指示を入力する。制御部１ｇは、この入力された指示に従って通信部１ａと通信装置２を介して母線連絡用遮断器５７に接続信号Ｃ３を送る。これにより、母線連絡用遮断器５７は『入』の状態になって母線６ａ，６ｂが接続され、１号バンク変圧器５１ａと２号バンク変圧器５１ｂは併用状態となる。
ステップＳ４では、母線５６ａ，５６ｂの電圧値と無効電力値を表示部１ｈによって確認した後、予め設定された許容範囲内にバンクシフト後の母線５６ａ，５６ｂの電圧値を収めるために必要な１号バンク変圧器５１ａと２号バンク変圧器５１ｂのタップの上げ下げの回数を計算し、それを入力部１ｆから入力する。処理部１ｄは、この入力されたタップの上げ下げの回数に従って、通信部１ａと通信装置２を介して１号バンク変圧器５１ａと２号バンク変圧器５１ｂにタップ切換信号Ｃ２を送り、それらのタップの上げ下げを所定の回数だけ行う。
【００３９】
ステップＳ５では、入力部１ｆから制御部１ｇに２次側遮断器５３ａを操作させるための指示を入力する。この入力された指示に従って制御部１ｇが通信部１ａと通信装置２を介して２次側遮断器５３ａに遮断信号Ｃ４を送る。これにより、２次側遮断器５３ａは『切』の状態になり、１号バンク変圧器５１ａと２号バンク変圧器５１ｂの併用状態が解消される。
ステップＳ６では、入力部１ｆから制御部１ｇに１次側遮断器５２ａを操作させるための指示を入力する。この入力された指示に従って制御部１ｇが通信部１ａと通信装置２を介して１次側遮断器５２ａに遮断信号Ｃ４を送る。これにより、１次側遮断器５２ａは『切』の状態になり、１号バンク変圧器５１ａに対する送電線５５ａからの電力の供給が中断される。
【００４０】
ステップＳ７では、入力部１ｆから演算部１ｃに対する指示を入力して、その動作モードを『使用』に設定する。
ステップＳ８では、配電用変電所５から通信装置２を介して通信部１ａが受信した母線５６ｂの電圧値と無効電力値に基づいて、２号バンク変圧器５１ｂのタップの上げ下げの回数を演算部１ｃが算出し、その結果を処理部１ｄに送るとともに、記憶部１ｅへ読み出し可能に格納する。そして、処理部１ｄは、演算部１ｃの演算結果に従って、通信部１ａと通信装置２を介して２号バンク変圧器５１ｂにタップ切換信号Ｃ２を送り、そのタップの上げ下げを所定の回数だけ行う。
【００４１】
次に、バンクシフト後に常時の系統に復旧する手順について図３を用いて説明する。
まず、図３のステップＳ９に示すように、入力部１ｆから演算部１ｃに対する指示を入力して、その動作モードを『不使用』に設定した後、母線５６ｂの電圧値と無効電力値を確認する。
ステップＳ１０では、入力部１ｆから制御部１ｇに１次側遮断器５２ａを操作させるための指示を入力する。この入力された指示に従って制御部１ｇは通信部１ａと通信装置２を介して１次側遮断器５２ａに接続信号Ｃ３を送る。これにより、１次側遮断器５２ａは『入』の状態になり、１号バンク変圧器５１ａに送電線５５ａから電力が供給される。
ステップＳ１１では、記憶部１ｅから読み出されて表示部１ｈに表示されたタップの上げ下げの回数を確認し、それを入力部１ｆから入力する。処理部１ｄは、入力部１ｆから入力されたタップの上げ下げの回数に従って、通信部１ａと通信装置２を介して１号バンク変圧器５１ａにタップ切換信号Ｃ２を送り、そのタップの上げ下げを所定の回数だけ行う。これにより、２号バンク変圧器５１ｂの現在のタップ値に１号バンク変圧器５１ａのタップ値が一致する。
【００４２】
ステップＳ１２では、入力部１ｆから制御部１ｇに２次側遮断器５３ａを操作させるための指示を入力する。制御部１ｇは、この入力された指示に従って通信部１ａと通信装置２を介して２次側遮断器５３ａに接続信号Ｃ３を送る。これにより、２次側遮断器５３ａは『入』の状態になり、１号バンク変圧器５１ａと２号バンク変圧器５１ｂは併用状態となる。
ステップＳ１３では、表示部１ｈによって母線５６ａ，５６ｂの電圧値と無効電力値を確認した後、必要に応じて、１号バンク変圧器５１ａと２号バンク変圧器５１ｂのタップの上げ下げの回数を計算し、それを入力部１ｆから入力する。処理部１ｄは、入力部１ｆから入力されたタップの上げ下げの回数に従って、通信部１ａと通信装置２を介して１号バンク変圧器５１ａと２号バンク変圧器５１ｂにタップ切換信号Ｃ２を送り、それらのタップの上げ下げを所定の回数だけ行う。
【００４３】
ステップＳ１４では、入力部１ｆから制御部１ｇに母線連絡用遮断器５７を操作させるための指示を入力する。制御部１ｇは、この入力された指示に従って通信部１ａと通信装置２を介して母線連絡用遮断器５７に遮断信号Ｃ４を送る。これにより、母線連絡用遮断器５７は『切』の状態になって母線６ａ，６ｂが遮断され、１号バンク変圧器５１ａと２号バンク変圧器５１ｂは併用状態が解消される。
ステップＳ１５では、入力部１ｆから制御部１ｇに１号バンク変圧器５１ａと２号バンク変圧器５１ｂのＬＲを操作させるための指示を入力する。制御部１ｇは、この入力された指示に従って通信部１ａと通信装置２を介して１号バンク変圧器５１ａと２号バンク変圧器５１ｂのＬＲに動作切換信号Ｃ１を送って、その動作モードを『自動』に設定する。
最後に、ステップＳ１６において、入力部１ｆから演算部１ｃに対する指示を入力して、その動作モードを『使用』に設定する。
【００４４】
既に述べたように、自家用発電設備が連系された電力系統に逆潮流が発生してバンクシフトを行った場合、シフト側変圧器はＬＲによってタップが切り換えられて、バンクシフト直後の状態からタップ値が変化しているため、常時の系統に復旧させる際には、停電側変圧器のタップ値をシフト側変圧器のタップ値に合わせる必要がある。しかしながら、配電用変圧器のタップ値に関する情報は遠方監視制御装置に送信されていないことが多いため、制御所の運転員が自身の経験に基づいて、停電側変圧器のタップ値を正確に予測することは困難である。
【００４５】
これに対し、本発明の配電用変圧器制御システム１においては、演算部１ｃの動作モードを『使用』にして、処理部１ｄに２号バンク変圧器５１ｂのタップの切り換えを行わせると、タップの上げ下げの回数が演算部１ｃの演算結果として記憶部１ｅに格納されるという作用を有する。
すなわち、２号バンク変圧器５１ｂの２次側に逆潮流が発生した場合、ＬＲの動作モードを『手動』に設定し（図２のステップＳ１参照）、配電用変圧器制御システム１を用いて１号バンク変圧器５１ａと２号バンク変圧器５１ｂのタップを手動で切り換え（図２のステップＳ２ｂ及びステップＳ４参照）、さらに、バンクシフト後に演算部１ｃの動作モードを『使用』にして（図２のステップＳ７参照）、処理部１ｄに２号バンク変圧器５１ｂのタップの切り換えを行わせることにより（図２のステップＳ８参照）、バンクシフト後から常時の系統に復旧するまでの間に２号バンク変圧器５１ｂのタップが切り換えられた履歴が、タップの上げ下げの回数として配電用変圧器制御システム１の記憶部１ｅに格納されるという作用が発揮される。この場合、記憶部１ｅから読み出して表示部１ｈに表示させることで、上述のタップの上げ下げの回数をいつでも容易に確認することができる。
したがって、配電用変圧器制御システム１を用いた本発明の配電用変圧器の制御方法によれば、バンクシフト後に行われる常時の系統への復旧作業を行う際に、上述のタップの上げ下げの回数を表示部１ｈで容易に確認できるため、１号バンク変圧器５１ａのタップ値を正確に２号バンク変圧器５１ｂのタップ値に合わせて、当該復旧作業を短時間に効率よく行うことができる。
【産業上の利用可能性】
【００４６】
本発明は、配電用変圧器の２次側にバッテリが設置されていない配電用変電所において逆潮流が発生し、制御所からの遠隔操作によってバンクシフトを行う必要が生じた場合などに利用可能である。
【符号の説明】
【００４７】
１…配電用変圧器制御システム  １ａ…通信部  １ｂ…逆潮流発生監視部  １ｃ…演算部  １ｄ…処理部  １ｅ…記憶部  １ｆ…入力部  １ｇ…制御部  １ｈ…表示部  ２…通信装置  ３…遠方監視制御装置  ４…制御所  ５…配電用変電所  ５１ａ…１号バンク変圧器  ５１ｂ…２号バンク変圧器  ５２ａ，５２ｂ…１次側遮断器  ５３ａ，５３ｂ…２次側遮断器  ５４ａ，５４ｂ…負荷  ５５ａ，５５ｂ…送電線  ５６ａ，５６ｂ…母線  ５７…母線連絡用遮断器  ＮＷ…通信網
【図１】
2018207562.tif 000003
【図２】
2018207562.tif 000004
【図３】
2018207562.tif 000005
【図４】
2018207562.tif 000006
【図５】
2018207562.tif 000007
【図６】
2018207562.tif 000008
【図７】
2018207562.tif 000009